(57)【要約】      （修正有）【課題】太陽電池を使用し、光ファイバーとＬＥＤ（発光ダイオード）を発光させて発電を行う発電装置を提供する。【解決手段】発光用基板に太陽光又はＬＥＤの光を集光レンズから光ファイバーを介して照射する照射レンズを複数取り付け、前記発光用基板に対向する発電用基板の表面及び裏面に複数の太陽電池を取り付けたものを積層し、前記照射レンズから発した光エネルギーを前記太陽電池で電気エネルギーに変換し配電用キャパシタに蓄電することを特徴とする発電装置の構成とした。【選択図】図１
0003142935.tif 000002
【実用新案登録請求の範囲】
【請求項１】
発光用基板に太陽光又はＬＥＤの光を集光レンズから光ファイバーを介して照射する照射レンズを複数取り付け、前記発光用基板に対向する発電用基板に複数の太陽電池を取り付けたものを積層し、前記照射レンズから発した光エネルギーを前記太陽電池で電気エネルギーに変換し配電用キャパシタに蓄電することを特徴とする発電装置。
【請求項２】
太陽光を採光レンズから取り込んで光ファイバーを介して集光レンズに送ることを特徴とする請求項１に記載の発電装置。
【請求項３】
配電用キャパシタに蓄電した電気エネルギーの一部を点灯用キャパシタに送り、ＬＥＤを発光させることを特徴とする請求項１又は請求項２に記載の発電装置。
【考案の詳細な説明】
【技術分野】
【０００１】
本考案は、太陽電池を使用し、光ファイバーとＬＥＤ（発光ダイオード）を発光させて発電を行う発電装置に関するものである。
【背景技術】
【０００２】
発電装置は、機械的エネルギーから電気エネルギーを得る装置であり、水が落下するときのエネルギーを利用する水力発電、風の力を利用する風力発電、燃料の熱エネルギーを利用する火力発電、核エネルギーを利用する原子力発電、屋根に太陽電池を取り付けた太陽光発電などがある。
【０００３】
特許文献１に記載されているように、少量の電力で光を発するＬＥＤを利用し、毎日一定量の発電をし蓄電しておくことができる発電装置の発明も公開されている。
【特許文献１】特開２００３−３８４４４８号公報
【考案の開示】
【考案が解決しようとする課題】
【０００４】
しかしながら、特許文献１に記載の発明は、電気エネルギーをＬＥＤの発光エネルギーに変換し、その光エネルギーの一部を太陽電池で電気エネルギーに変換するものであり、電気エネルギーの損失が大きいと考えられる。
【０００５】
そこで、本考案は、太陽電池を使用し、光ファイバーとＬＥＤ（発光ダイオード）を発光させて発電を行う発電装置を提供することを目的とするものである。
【課題を解決するための手段】
【０００６】
本考案は、上記の課題を解決するために、発光用基板２に太陽光又はＬＥＤ５の光を集光レンズ３ａから光ファイバー３を介して照射する照射レンズ２ａを複数取り付け、前記発光用基板２に対向する発電用基板４の表面及び裏面に複数の太陽電池４ａを取り付けたものを積層し、前記照射レンズ２ａから発した光エネルギーを前記太陽電池４ａで電気エネルギーに変換し配電用キャパシタ４ｂに蓄電することを特徴とする発電装置１の構成とした。
【考案の効果】
【０００７】
本考案は、昼間は太陽光を取り入れ、夜間又は雨天時は蓄電した電気エネルギーの一部を利用してＬＥＤを発光させ、光ファイバーを介して太陽電池に照射することにより、効率的に発電することができる。
【考案を実施するための最良の形態】
【０００８】
本考案は、太陽電池を使用し、光ファイバーとＬＥＤ（発光ダイオード）を発光させて発電を行うという目的を、発光用基板に太陽光又はＬＥＤの光を集光レンズから光ファイバーを介して照射する照射レンズを複数取り付け、前記発光用基板に対向する発電用基板の表面及び裏面に複数の太陽電池を取り付けたものを積層し、前記照射レンズから発した光エネルギーを前記太陽電池で電気エネルギーに変換し配電用キャパシタに蓄電することで実現した。
【実施例１】
【０００９】
以下に、添付図面に基づいて、本考案である太陽電池を使用した光ファイバー・ＬＥＤ発電装置について詳細に説明する。図１は、本考案の発電装置の全体を示す図である。
【００１０】
発電装置１は、発光用基板２に太陽光又はＬＥＤ５の光を集光レンズ３ａから光ファイバー３を介して照射する照射レンズ２ａを複数取り付け、前記発光用基板２に対向する発電用基板４の表面及び裏面に複数の太陽電池４ａを取り付けたものを積層し、前記照射レンズ２ａから発した光エネルギーを前記太陽電池４ａで電気エネルギーに変換し配電用キャパシタ４ｂに蓄電することを特徴とする。
【００１１】
尚、太陽光を採光レンズ３ｂから取り込んで光ファイバー３を介して集光レンズ３ａに送り、また、配電用キャパシタ４ｂに蓄電した電気エネルギーの一部を点灯用キャパシタ５ａに送り、ＬＥＤ５を発光させる。
【００１２】
図２は、本考案の発電装置の発光用基板を示す図である。
【００１３】
発光用基板２は、表面及び裏面に複数の照射レンズ２ａを取り付けたものである。各照射レンズ２ａには光ファイバー３の一端が接続され、光ファイバー３の他端は集光レンズ３ａに接続される。
【００１４】
集光レンズ３ａには、採光レンズ３ｂから光ファイバー３を介して送られる太陽光と、ＬＥＤ５の発光が入射される。集光レンズ３ａは、１つでも良いし、発光用基板２ごとに用意しても良い。
【００１５】
また、ＬＥＤ５は、１つの集光レンズ３ａに対し、複数使用することができ、各ＬＥＤ５で発光したものを集光レンズ３ａに集めることで、光エネルギーを増加させることが可能である。
【００１６】
図３は、本考案の発電装置の発電用基板を示す図である。
【００１７】
発電用基板４は、表面及び裏面に複数の太陽電池４ａを取り付けたものである。各太陽電池４ａは、パネルに照射された光エネルギーを電気エネルギーに変換して配電用キャパシタ４ｂに送る。
【００１８】
配電用キャパシタ４ｂには、各発電用基板４から集められた電気エネルギーが蓄電され、配電盤の入力になる等して他の電気機器に電気を供給する。また、一部の電気エネルギーは、点灯用キャパシタ５ａへ供給される。
【００１９】
図４は、本考案の発電装置の発電方法を示す図である。
【００２０】
発光用基板２には複数の照射レンズ２ａを取り付け、集光レンズ３ａと各照射レンズ２ａを光ファイバー３で接続する。集光レンズ３ａには、採光レンズ３ｂからの太陽光とＬＥＤ５の光が選択的に入射される。
【００２１】
昼間は、太陽光を採光レンズ３ｂから取り込んで、光ファイバー３を通じて集光レンズ３ａに送る。夜間又は雨天時は、点灯用キャパシタ５ａから電気を供給してＬＥＤ５を発光させ、光を集光レンズ３ａに送る。
【００２２】
集光レンズ３ａから光ファイバー３を介して発光用基板２の各照射レンズ２ａに光が送られ、発電用基板４の各太陽電池４ａに光が照射されて発電が行われる。発電した電気エネルギーは集められ、配電用キャパシタ４ｂに蓄電される。
【００２３】
使用するＬＥＤ５の個数を大幅に削減し、太陽光又はＬＥＤ５の光を光ファイバーで送ることで、ＬＥＤ５の消費電力も抑えることができるので、発電効率を飛躍的に向上させることができる。
【図面の簡単な説明】
【００２４】
【図１】本考案である発電装置の全体を示す図である。
【図２】本考案である発電装置の発光用基板を示す図である。
【図３】本考案である発電装置の発電用基板を示す図である。
【図４】本考案である発電装置の発電方法を示す図である。
【符号の説明】
【００２５】
１        発電装置
２        発光用基板
２ａ      照射レンズ
３        光ファイバー
３ａ      集光レンズ
３ｂ      採光レンズ
４        発電用基板
４ａ      太陽電池
４ｂ      配電用キャパシタ
５        ＬＥＤ
５ａ      点灯用キャパシタ
【図１】
0003142935.tif 000003
【図２】
0003142935.tif 000004
【図３】
0003142935.tif 000005
【図４】
0003142935.tif 000006